(57)【特許請求の範囲】
【請求項１】
ローズマリー、ひまわり種子、生コーヒー豆、ブドウの果皮、ブドウの種子、リンゴ、ニンジンの葉、茶の葉の各抽出物からなる群から選ばれる一種又は二種以上の抽出物及びフェノール性化合物を酸化する酵素とから成る消臭剤組成物と、吸水性ポリマーを含有することを特徴とする衛生用品。
【請求項２】
消臭剤組成物と吸水性ポリマーとの混合割合が１：１００〜５：１（重量比）である請求項１記載の衛生用品。
【請求項３】
衛生用品がヒト用の紙オムツ、シーツのいずれかである請求項１記載の衛生用品。
【請求項４】
衛生用品がペット用の紙オムツ、床敷きシート、トイレ用シートのいずれかである請求項１記載の衛生用品。
【請求項５】
吸水性ポリマーが重合性不飽和酸、その塩、アミド、エステルから選ばれた１種または２種以上を含む組成物から調製された吸水性ポリマーである請求項１記載の衛生用品。
【請求項６】
重合性不飽和酸がアクリル酸、メタクリル酸、マレイン酸から選ばれた１種または２種以上である請求項５記載の衛生用品。
【発明の詳細な説明】
【０００１】
【発明の属する技術分野】
本発明は、ヒト及びイヌ、ネコなどのペットの排泄物（糞尿）の臭いを低減或いは消去する目的で使用される消臭剤組成物と、吸水性ポリマーを含有して成るヒト用及びペット用の衛生用品に関する。
更に詳細には、ローズマリー、ひまわり種子、生コーヒー豆、ブドウの果皮、ブドウの種子、リンゴ、ニンジンの葉、茶の葉の各抽出物からなる群から選ばれる一種又は二種以上の抽出物及びフェノール性化合物を酸化する酵素とから成る消臭剤組成物と、吸水性ポリマーを含有することを特徴とするヒト用及びペット用の衛生用品に関する。
【０００２】
【従来の技術】
近年、我が国をはじめとする先進諸国においては、全人口に対する高齢者の割合が急速に増加する傾向にあり、所謂高齢化社会を形成しつつある。高齢者の人口増加は、病弱な老人や一人では寝起きができない寝たきり老人などの増加を来すことが予想され、老人に多く見られる失禁や、寝たきり老人の排泄物の世話を看護人に委ねざるを得ないなどの社会的な問題が提起されている。排泄物から出される臭気については、本人をはじめ看護人にとっても深刻な悩み事となっており、その臭気対策が強く望まれており、ヒトの排泄物の臭いを低減或いは消去することができるとしたら、これは全てのヒトにとっても朗報となるであろう。
【０００３】
一方、イヌやネコなどのペットについても家屋内で飼育する機会が増え、ヒトと接触する機会も増える傾向にある。ペットを家屋内で飼育する場合、その排泄物の臭気が問題となる。屋内でのペットのトイレなどにおける排泄物の臭いを低減或いは消去する方法としては、消臭剤や防臭剤を排泄物自体に、或いはその付近に散布することにより、排泄物から出される臭気を低減させることが一般に行われているが、このような方法は一時的な対処方法に過ぎず、消臭効果の点においても未だ十分なものとは言い難い。更に、排泄物や体臭などの臭いの低減を企図した紙オムツやトイレシートなどの各種ペット用衛生製品が商品化されているが、排泄物などの悪臭を低減するような工夫が施されておらず、未だ十分な消臭効果を期待できない。
【０００４】
また、従来使用されている植物抽出物などの天然型消臭剤は、その剤型が水抽出物或いは水溶性溶剤による抽出物であり、吸水性ポリマーを使用している紙オムツや各種衛生用品などに混合することは物性面での適合性について問題がある。例えば、特開平１０−１２０，５７４号公報には糞尿消臭剤の構成成分の一つとして茶葉抽出液の記載があるが、これらの使用は内服での使用に限定されており、現在市販されている紙オムツなどの各種衛生用品には植物抽出物からなる天然型消臭剤を混合したものは未だ見当たらない。
【０００５】
【発明が解決しようとする課題】
本発明は、消臭効果に優れた植物抽出物などを構成成分とする天然型の消臭剤組成物を使用して、簡便・容易に調製することができるヒト用及びペット用の各種衛生用品を提供することを課題とする。
【０００６】
【課題を解決するための手段】
本発明者らは、先に、ローズマリー、ひまわり種子、生コーヒー豆、ブドウの果皮、ブドウの種子、リンゴ、茶の葉の各抽出物からなる群から選ばれる一種又は二種以上の抽出物と、フェノール性化合物を酸化する酵素とを含有して成る消臭剤組成物を提案したが（特開平１０−２１２，２２１号）、更に鋭意検討を重ねた結果、ニンジンの葉の抽出物も同様な消臭作用を有することが判明し（特願平１０−２５３１７３号）、また、これらの消臭剤組成物をヒトやイヌ、ネコなどのペット用の紙オムツ、糞尿処理用シートなどにあらかじめ配合させておくことにより、排泄物から出される臭気に対して優れた消臭効果を有するという知見を得、本発明を完成した。
【０００７】
即ち、本発明は、ローズマリー、ひまわり種子、生コーヒー豆、ブドウの果皮、ブドウの種子、リンゴ、ニンジンの葉、茶の葉の各抽出物からなる群から選ばれる一種又は二種以上の抽出物及びフェノール性化合物を酸化する酵素とから成る消臭剤組成物と、吸水性ポリマーを含有することを特徴とするヒト用またはペット用の衛生用品を提供するものである。
【０００８】
【発明の実施の形態】
以下に、本発明を更に詳細に説明する。
本発明において使用される消臭剤組成物は、ローズマリー、ひまわり種子、生コーヒー豆、ブドウの果皮、ブドウの種子、リンゴ、ニンジンの葉、茶の葉の各抽出物からなる群から選ばれる一種又は二種以上の抽出物と、フェノール性化合物を酸化する酵素とを含有して成るものであり、当該消臭剤組成物は前述の植物抽出物から構成されるもので、水分の存在下で強い消臭活性効果を示し、長時間にわたり消臭活性を持続することが認められている。また、水分のない状態では消臭活性を示さず、極めて安定であり、通常の保存状態では一年以上にわたり消臭活性を維持することが認められている。
【０００９】
前述した消臭剤組成物の一方の成分である植物抽出物は、ローズマリー、ひまわり種子、生コーヒー豆、ブドウの果皮、ブドウの種子、リンゴ、ニンジンの葉、茶の葉などの各抽出物から選ばれる一種或いは二種以上であり、これら抽出物としては、水、アルコール、有機溶媒又はこれらの混合物により抽出されるフェノール性化合物を含有するものであればどのようなものでもよい。
【００１０】
抽出溶媒は、消臭剤組成物の使用目的により適宜選択され、このような抽出溶媒としては、水、エタノール、プロパノール、ブタノール、アセトン、ヘキサン、プロピレングリコール、含水エタノール、含水プロピレングリコールなどが挙げられるが、好ましくは熱水、含水エタノール、含水プロピレングリコールなどである。
【００１１】
抽出に際しては通常の抽出条件で実施することができ、抽出した抽出液は減圧下に濃縮し、噴霧乾燥又は凍結乾燥などの手段により乾燥粉末とする。
【００１２】
本発明に使用されるもう一方の成分であるフェノール性化合物を酸化する酵素としては、フェノール性化合物をキノン構造を有する化合物に酸化する作用を有する酵素、或いは当該作用と共にフェノール性水酸基を付加させ、キノンに酸化する作用を有する酵素或いはその酵素を含むものが好ましい。
【００１３】
この作用を有する酵素であればどのようなものでも使用できるが、例えば、ポリフェノールオキシダーゼ、モノフェノールオキシダーゼ、過酸化水素を生成するオキシダーゼ及びパーオキシダーゼを挙げることができる。より具体的には、ラッカーゼ、チロシナーゼ、グルコースオキシダーゼ、パーオキシダーゼなどが好ましい。また、植物抽出物のゴボウ酵素、ナシ酵素なども使用することができ、これらの酵素も二種以上共存させることができる。
【００１４】
本発明に使用される消臭剤組成物は、使用目的に応じて粉状或いは顆粒状で使用することができ、これらの目的のために担体としてデキストリン、シクロデキストリン、ブドウ糖、乳糖及び各種澱粉類の糖類、増量剤として無水硫酸ナトリウム、無水珪酸ナトリウム、塩化ナトリウム等の無機塩類及びポリアクリル酸ナトリウム等を適宜選択し、添加・混合することにより得ることができる。
【００１５】
本発明における吸水性ポリマーとしては、例えば、前述した消臭剤組成物を使用して紙オムツを製造する場合を例に挙げて説明すると、通常市販の紙オムツには排泄物の水分吸収の目的でポリアクリル酸塩系の他に、澱粉・ポリアクリル酸塩グラフト系、ポリビニルアルコール系、ビニルアルコール・アクリル酸塩共重合体、イソブチレン・マレイン酸共重合体等の吸水性ポリマーが一般的に使用されているが、これらの吸水性ポリマーであればよい。寝たきり老人用のベッド用シーツやマット、失禁用パッド、生理用ナプキン、ペット用の紙オムツ、トイレシート、床敷きシート等においても同様である。
【００１６】
消臭剤組成物は、吸水性ポリマーの種類や量に特に制限されることなく使用することができる。望ましくは使用する消臭剤組成物の酵素活性を低下させることのないような組み合わせが良く、使用する吸水性ポリマーの種類にもよるが、通常は消臭剤組成物と吸水性ポリマーの混合割合は、１：１００〜５：１（重量比）、好ましくは１：１０〜２：１（重量比）である。
【００１７】
本発明における各種衛生用品を製造するには、前述した消臭剤組成物をそのまま使用することができる。また、紙オムツの場合のように吸水性ポリマーが使用されている場合には、この吸水性ポリマーに予め消臭剤組成物を均一に混合して、使用に供することができる。
【００１８】
本発明において使用される消臭剤組成物の使用量は、例えば、紙オムツに使用する場合には、吸水性ポリマー１ｇに対して０．０１〜５．０ｇ、好ましくは０．０５〜４．０ｇ添加して使用される。大人用紙オムツでは、吸水性ポリマー１ｇに対して０．１０〜１．００ｇ、乳幼児用紙オムツでは、吸水性ポリマー１ｇに対して０．０５〜０．３０ｇ、ペット用紙オムツの場合には、吸水性ポリマー１ｇに対して０．１０〜１．００ｇが適当な配合量である。
【００１９】
本発明において使用される消臭剤組成物の使用量が吸水性ポリマー１ｇに対して０．０１ｇ以下では、何れの目的においても十分な消臭効果は得られない。また、消臭剤組成物の使用量が５．０ｇ以上になると、消臭剤組成物中の植物抽出物或いは酸化酵素類などの素材の臭いが強く出てしまい、対象の悪臭以外の臭いが問題となってしまい、初期の目的を達成することができない。
【００２０】
また、本発明は、前述した紙オムツ以外にも、寝たきり老人用のベッド用シーツやマット、失禁者用パッド、生理用ナプキン等の衛生用品とすることで、排尿、排便等に伴い発生する臭気を低減或いは消去することも可能である。更に、室内で飼育されるイヌやネコなどのペット用の糞尿処理用の紙オムツや床敷きまたはトイレ用シートなどの衛生用品とすることにより、排尿、排便の臭気を著しく低減或いは消去することも可能である。
【００２１】
本発明により得られるヒト用及びペット用の各種衛生用品は、簡便・容易に調製でき、実用性に富んでおり、排泄物から出される臭気の低減或いは消去作用においても優れた効果を発現するものである。
【００２２】
【実施例】
以下に、実施例及び参考例を挙げて本発明を更に詳細に説明するが、本発明はこれら実施例に何ら限定されるものではない。
【００２３】
参考例１
（消臭剤組成物の製造）
▲１▼生コーヒー豆抽出物の調製
生コーヒー豆１ｋｇを粉砕機で粉砕後（メッシュ５ｍｍ）、１０リットルの水を加えて８５〜９５℃で２時間抽出した。抽出液を濾過後、濾液を濃縮乾固し、生コーヒー豆抽出物１８２ｇを得た。
【００２４】
▲２▼ゴボウ抽出物（ゴボウ酵素）の調製
ゴボウ１００ｇと−２０℃アセトン４００ｍｌをミキサーに入れ、磨砕した後、吸引濾過した。残渣を５℃の８０％アセトン含水溶液５００ｍｌで十分洗浄し、濾液と合わせてアセトン溜去後、凍結乾燥してゴボウ抽出物の粉末２０ｇを得た。
【００２５】
▲１▼で得た生コーヒー豆抽出物と▲２▼で得たゴボウ抽出物を１：１（重量比）で混合し、消臭剤組成物を製造した。
【００２６】
実施例１
（方法）市販のペット用紙オムツ（商品名：「ＨＡＰＰＹゼリーシーツ」東京ペット株式会社）中の吸水性ポリマー（約１ｇ）を取り出し、参考例１で製造した消臭剤組成物０．５ｇを混合した後、再び同じ紙オムツに戻した。この紙オムツを小型シェットランド犬に着用させ、排尿確認後に取り外してその臭気をパネラー５名により官能評価試験を行った。なお、対照には消臭剤組成物を含まない紙オムツを使用した。
【００２７】
（結果）官能評価試験の結果を表１に示す。官能評価は、「１．尿臭全く感じない、２．わずかに尿臭を感じる、３．尿臭は弱いがする、４．尿臭がする、５．尿臭が強い、６．尿臭が非常に強い」の６段階評価で行った。
【００２８】
【表１】
0003699298.tif 000002
【００２９】
表１からも明らかな通り、消臭剤組成物を配合した紙オムツ（本発明品）では、パネラー５名中３名が全く尿臭を感じることなく、尿臭は完全に消去されていた。一方、消臭剤組成物を配合しない紙オムツは、パネラー全員が尿臭を感じており、内２名においては強い尿臭を感じていた。
【００３０】
実施例２
（方法）市販の成人用紙オムツ（商品名：「マミーポコＬサイズ」ユニチャーム株式会社製）中の吸水性ポリマー（約１ｇ）を取り出し、参考例１で製造した消臭剤組成物０．２ｇを混合した後、再び紙オムツに戻した。この紙オムツに成人男子の尿１００ｍｌを吸収させ、５分後にその臭気をパネラー５名による官能評価試験を行った。なお、対照には、消臭剤組成物を配合しない同様な紙オムツ、更に消臭剤が配合された市販の２種類の紙オムツを使用した。
【００３１】
（結果）官能評価試験の結果を表２に示す。官能評価は、実施例１と同様な６段階評価である。
【００３２】
【表２】
0003699298.tif 000003
【００３３】
表２からも明らかな通り、対照に使用した市販の各紙オムツにおいては、パネラーの全員が尿臭が強いと感じており、消臭効果はほとんど認められなかった。これに対し、消臭剤組成物を混合した紙オムツ（本発明品）では、パネラー全員が尿臭を全く感じないまでに消臭効果が認められた。
【００３４】
実施例３
（方法）寝たきり老人を抱え、紙オムツを日常的に使用している家庭で、実際に着用して使用試験を行った。家庭内で日常使用している紙オムツと併用タイプの尿とりパッド（失禁者用パッド、商品名「アクティ尿とりパッドレギュラー」株式会社クレシア製）から吸水性ポリマー（約１ｇ）を取り出し、参考例１で製造した消臭剤組成物０．２０ｇを混合した後、再びもとの尿とりパッドに戻し、このものを実際に着用してもらった。
【００３５】
（結果）本試験の結果、従来排尿・排便後の尿とりパッドの取り替え時に感じられた強烈な臭気が、消臭剤組成物を配合した尿とりパッドでは、排尿・排便後に取り替え時には臭気をほとんど感じられない程度にまでに減少していた。
【００３６】
実施例４
（方法）寝たきり老人を抱え、ケアシーツを日常的に使用している家庭で、実際に使用して使用試験を行った。家庭内で日常使用しているケアシーツ（商品名「サルバケアシーツ  メッシュタイプ半身用」白十字株式会社製）から吸水性ポリマー（約２ｇ）を取り出し、シーツ一枚当り、参考例１で製造した消臭剤組成物２．０ｇを吸水性ポリマーと混合した後、再びもとのシーツに戻し、老人の腰の位置に来るようにセットし、その上を普通のシーツで覆い、そこに一晩老人を寝かせ、翌日上を覆っていたシーツを外してその臭気強度を官能評価した。対照として、別の日に当該消臭剤組成物を混入していない同様なケアシーツを用いた。
【００３７】
（結果）結果を表３に示す。官能評価は、実施例１と同様な６段階評価である。
【００３８】
【表３】
0003699298.tif 000004
【００３９】
本試験の結果、従来排尿・排便後のシーツの取り替え時に感じられた強烈な臭気が、消臭剤組成物を配合したシーツでは、排尿・排便後の取り替え時には臭気をほとんど感じられない程度にまでに減少していた。
【００４０】
参考例２（経時安定性）
参考例１で製造した消臭剤組成物を褐色ガラス瓶中に１年間保存後、その消臭活性の経時安定性を測定した。
【００４１】
（方法）測定方法は、１００ｍｌのバイアル瓶に上記消臭剤組成物２０ｍｇ、蒸留水１．５ｍｌ及び悪臭物質であるアンモニア、トリメチルアミン、メチルメルカプタンのそれぞれを初期濃度２００ｐｐｍになるように添加し、１０分間手で振盪した後、バイアル瓶内のガス５０ｍｌを検知管（ガステック株式会社製）に通して、ガス内に残る悪臭物質の濃度を測定した。
（結果）結果を表４に示した。
【００４２】
【表４】
0003699298.tif 000005
【００４３】
表４からも明らかな通り、本発明において使用される消臭剤組成物は、１年経過後も安定な消臭効果を示していた。
【００４４】
参考例３
（方法）成人男子の尿を集め、採集直後の尿１００ｍｌに対して参考例１で製造した消臭剤組成物０．０１〜０．３０ｇを段階的に添加したものを調製し、パネラー５名による官能評価試験を行った。なお、対照には消臭剤組成物を添加しないものを同様にして調製した。
（結果）官能評価試験の結果を表５に示す。官能評価は、実施例１と同様な６段階評価である。
【００４５】
【表５】
0003699298.tif 000006
【００４６】
表５から明らかな通り、成人男子の尿１００ｍｌに対して消臭剤組成物を０．１０ｇ添加することにより、わずかな尿臭を感じる程度となり、０．２０ｇ以上では尿臭を全く感じなかった。また、０．０８ｇでも、尿臭は対照に比較して半分まで減少することが認められた。
【００４７】
【発明の効果】
本発明においては、ローズマリー、ヒマワリ種子、生コーヒー豆、ブドウの果皮、ブドウの種子、リンゴ、ニンジンの葉、茶の葉の各抽出物から成る群から選ばれる一種又は二種以上の抽出物及びフェノール性化合物を酸化する酵素とを含有する消臭剤組成物と、吸水性ポリマーを混合したものをヒト用及びペット用の紙オムツなどの各種衛生用品に使用することにより、排泄物からの臭気を著しく低減或いは消去することができ、極めて優れた消臭効果を提供することができる。また、本発明において使用される消臭剤組成物は、各種衛生用品に適用する場合においても、調製方法が簡便・容易であるばかりでなく、経済的にも安価である。